(57)【要約】      （修正有）【課題】ロール紙が切れないと判断してすぐモータを停止させると、糊付きシールを切断した際、カッタ刃に糊が付着したり、ロール紙にカッタ刃が食い込み、ロール紙を取り外すのに苦労することになる。また、切れないと判断して故障と表示パネルに表示させると、サービスエンジニアが出動する事態になる。【解決手段】カッタ刃でロール紙が切れないときに、カッタ刃に糊が付着したり、カッタ刃がロール紙に食い込んだままになることを避けるため、簡単な構成で、故障の判断精度が高いシールプリンタ用切断装置を提供する。【選択図】  図４
2007038321.tif 000002
【特許請求の範囲】
【請求項１】
ロール紙に画像形成後、ロール紙を切断するプリンタ用切断装置において、前記ロール紙をカッタ刃で切断する手段と、前記カッタ刃で切断が完了したことを検出する手段と、カッタ刃を所定位置に戻す手段と、カッタ刃が所定位置に戻ったことを検出する手段と、を備え、ロール紙がカッタ刃で所定時間内に切断動作を完了できない場合に、カッタ刃が所定位置に戻ったかどうかにより、故障の状態を判断することを特徴とする切断装置。
【請求項２】
前記カッタ刃がロール紙を所定時間内に切断完了できない場合、カッタ刃が動作し所定の位置に戻るか、または所定の位置以外の位置であるかを切断の可否として判断することを特徴とする請求項１に記載の切断装置。
【請求項３】
前記カッタ刃が所定位置に戻ったことを検出する手段で、カッタ刃が所定の位置に戻ったと検出した場合に、カッタ刃の故障は発生していないと判断することを特徴とする請求項１に記載の切断装置。
【請求項４】
前記カッタ刃が所定位置に戻ったことを検出する手段で、カッタ刃が所定の位置に戻っていないと検出した場合に、カッタ刃以外の故障が発生していると判断することを特徴とする請求項１に記載の切断装置。
【請求項５】
前記故障の内容を表示部に表示する表示手段を備えていることを特徴とする請求項１、２，３、４に記載の切断装置。
【発明の詳細な説明】
【技術分野】
【０００１】
本発明は、シールプリンタで印刷したロール紙を切断する切断装置に関する。
【背景技術】
【０００２】
ロール紙にシールプリンタで印刷した場合には、印刷終了後、ロール紙をはさみで切り取るか、カッタで切断する必要がある。
【０００３】
切断装置付きのシールプリンタでロール紙に印刷し、印刷後、ロール紙の切断をするとき、カッタ刃に糊が付着して切れなかったり、異物があって切れなかったり、モータやセンサに故障があって、切れなかったりする場合がある。
【０００４】
特許文献１に記載のジャム防止方式では、カッタ刃がロール紙を切れないと判断すると、すぐにプリンタの駆動系を停止させるものである。
【０００５】
特許文献２に記載の切断装置付きプリンタの異物切断防止装置は、連続紙を切断する際に、刃が異物に食い込んで取り外すことが困難になることを防ぐために、切断抵抗の大きさを検出する手段を備えたものである。
【特許文献１】特開昭62-030067
【特許文献２】特開2000-108435
【発明の開示】
【発明が解決しようとする課題】
【０００６】
ところが、切れないと判断してすぐモータを停止させると、糊付きシールを切断した際、カッタ刃に糊が付着したり、ロール紙にカッタ刃が食い込み、ロール紙を取り外すのに苦労することになる。また、切れないと判断して、故障と表示パネルに表示させると、サービスエンジニアが出動する事態になる。
【０００７】
そこで本発明は、上記問題点に鑑み、カッタ刃でロール紙が切れないときに、カッタ刃に糊が付着したり、カッタ刃がロール紙に食い込んだままになることを避けるため、簡単な構成で、故障の判断精度が高いシールプリンタ用切断装置を提供することを目的とする。
【課題を解決するための手段】
【０００８】
上記課題を解決するために、本発明は、ロール紙に画像形成後、ロール紙を切断するプリンタ用切断装置において、前記ロール紙をカッタ刃で切断する手段と、前記カッタ刃で切断が完了したことを検出する手段と、カッタ刃を所定位置に戻す手段と、カッタ刃が所定位置に戻ったことを検出する手段と、を備え、ロール紙がカッタ刃で所定時間内に切断動作を完了できない場合に、カッタ刃が所定位置に戻ったかどうかにより、故障の状態を判断することを特徴とする切断装置。
【０００９】
また、前記カッタ刃がロール紙を所定時間内に切断完了できない場合、カッタ刃が動作し所定の位置に戻るか、または所定の位置以外の位置であるかを切断の可否として判断することを特徴とする切断装置。
【００１０】
また、前記カッタ刃が所定位置に戻ったことを検出する手段で、カッタ刃が所定の位置に戻ったと検出した場合に、カッタ刃の故障は発生していないと判断することを特徴とする切断装置。
【００１１】
また、前記カッタ刃が所定位置に戻ったことを検出する手段で、カッタ刃が所定の位置に戻っていないと検出した場合に、カッタ刃以外の故障が発生していると判断することを特徴とする切断装置。
【００１２】
また、前記故障の内容を表示部に表示する表示手段を備えていることを特徴とする切断装置。
【発明の効果】
【００１３】
このような構成を有するシールプリンタ用切断装置によれば、ロール紙を切断して、切れなかった場合に、ロール紙にカッタ刃が食い込んだ状態でモータが停止してしまうことが無く、ロール紙の切断はできなかったが故障ではない状態を検出でき、また、本当に故障している場合に、故障であることを知ることができる。
【発明を実施するための最良の形態】
【００１４】
以下、図面を参照して本発明の一実施形態が組み込まれたシールプリンタ用切断装置の概略構成を説明する。
【実施例】
【００１５】
図１は、シールプリンタに本発明の切断装置を装着した全体図である。
【００１６】
図２は図１の切断装置を装着したシールプリンタの断面図である。
【００１７】
図３は、本発明の一例としての切断装置の模式図である。
【００１８】
この切断装置は、ガイド３ａ、３ｂに沿って上下に動く可動刃２と固定刃１とでロール紙を切断する構成になっている。
【００１９】
可動刃２は、図示していないモータによって、回転されるカム４により上下に動き、カム４が１回転することで、可動刃２が上下に１回動き、ロール紙を切断して、所定の位置に戻る。カム４が１回転し、所定の位置に戻ったことは、カム４に取り付けられた遮蔽板６がフォトインタラプタ５を遮ることによって検出できる。
【００２０】
図４のフロー図を参照して、カッタ装置ーがロール紙を切断する工程を説明する。
まず、ロール紙への印刷を終了すると、ロール紙を切断するために、モータの駆動を開始し（Ｓ１）、カム４の１回転の所定時間検知を開始する（Ｓ２）。モータの駆動により、カム４が回転し、カム４により可動刃２がガイド３ａ、３ｂに沿って上下に動き、ロール紙を切断する。
【００２１】
フォトインタラプタ５により、カム４が１回転したことを検出すると（Ｓ３）、正常にロール紙を切断することができたと判断すると、モータの駆動が停止し（Ｓ４）、カムが所定の位置に停止した（Ｓ５）ことにより、正常にロール紙が切断終了したことになる（Ｓ６）。
【００２２】
図５はカム４に取り付けられている遮蔽板６がフォトインタラプタ５の位置にあり、可動刃２が切断準備位置にあることを示している。
【００２３】
図６はカム４が可動し、それに伴い可動刃２も動作し、１回転する中でロール紙を切断した可動刃２の位置示している。
【００２４】
しかし、所定時間を経過しても、カム４が１回転したことを検出できないときは（Ｓ７）、何らかの要因により、ロール紙を切断できなかったと判断して、可動刃２がロール紙に食い込んだままになることを避けるため、モータの駆動が停止（S8）と共に、カムの動作も停止し（S9）、カムのモータの逆回転駆動を開始させ（Ｓ１０）、故障を検出するために、所定時間検知を開始する（Ｓ１１）。
【００２５】
フォトインタラプタ５により、カム４が逆回転し、所定の位置に戻ったことを検出すると（Ｓ１２）、ロール紙を切断することはできなかったが、故障はないと判断して、モータ駆動を停止すると（Ｓ１３）、カムが所定の位置に停止し（S14）、カッタジャム（Ｓ１５）が発生したことを操作パネル上に表示して知らせる（Ｓ１６）。
【００２６】
また、モータを逆回転して、所定時間を経過しても、カム４が所定の位置に戻ったことが検出できなかったら（Ｓ１７）、故障が発生していると判断し、モータ駆動が停止し（Ｓ１８）、カムの動作も停止し（S１９）、カッタ装置に故障が発生（Ｓ２０）していることを操作パネル上で知らせる（Ｓ２１）。
【００２７】
以上、本発明者によってなされた発明を本実施形態に基づき具体的に説明したが、本発明は上記実施形態に限定されるものではなく、その要旨を逸脱しない範囲で種々変形可能であるというのはいうまでもない。
【００２８】
例えば、上述した実施形態では可動刃が上下する切断装置について説明したが、可動刃は、左右に動くロータリーカッタでも良く、ロータリーカッタの始端と終端にスイッチがあれば、終端のスイッチでロール紙を切断したことを検知でき、始端のスイッチでロータリーカッタが所定位置に戻ったことを検知できる。
【００２９】
以上説明した構成によれば、シールプリンタでロール紙に印刷後、ロール紙をカッタ刃で切断したとき、切れなかった場合に、故障のために切れなかったのか、故障ではなく、刃に糊が付着した等の要因により切れなかったのかを容易に判断できるシールプリンタ用切断装置を提供することができる。
【図面の簡単な説明】
【００３０】
【図１】本発明の切断装置を装着したシールプリンタに全体図。
【図２】本発明の図１の切断装置を装着したシールプリンタの断面図
【図３】本発明の一例としての可動刃部を示した図である。
【図４】本発明の一例としてのフロー図。
【図５】本発明の一例としての可動刃の所定位置の斜視図。
【図６】本発明の一例としての媒体をカットした可動刃の位置の斜視図。
【符号の説明】
【００３１】
１  固定刃
２  可動刃
３ａ、３ｂ  ガイド
４  カム
５  フォトインタラプタ
６  遮蔽版
【図１】
2007038321.tif 000003
【図２】
2007038321.tif 000004
【図３】
2007038321.tif 000005
【図４】
2007038321.tif 000006
【図５】
2007038321.tif 000007
【図６】
2007038321.tif 000008